(57)【要約】【課題】供給側の水圧の高低、送水量の多寡にかかわらず、良好な使用感を得ることができる放水圧、放水量を実現し、なおかつ、単位時間あたりの使用水量を低減できる節水具。【解決手段】中空筒状体からなり、通水管に接続される節水具。通水管を通る上水の流動方向に直交して第一板体が中空筒状体内に配備されている。第一板体は、円周方向に所定の間隔を空けて複数の第一通水孔を備えていると共に、第一板体の下流側の壁における各第一通水孔が形成されている位置に、各第一通水孔を介して下流側に流動する上水の流れを斜め下方向に向かわせつつ、同一の円周方向に案内する案内部材を備えている。【選択図】図１
2009130812.tif 000002
【特許請求の範囲】
【請求項１】
中空筒状体からなり、通水管に接続される節水具であって、
前記通水管に接続される側から下流側に向けて前記通水管を通る上水の流動方向に直交して第一板体が前記中空筒状体内に配備され、
前記第一板体は、円周方向に所定の間隔を空けて複数の第一通水孔を備えていると共に、前記第一板体の下流側の壁における各第一通水孔が形成されている位置に、各第一通水孔を介して下流側に流動していく上水の流れを斜め下方向に向かわせつつ、同一の円周方向に案内する案内部材を備えている
ことを特徴とする節水具。
【請求項２】
前記中空筒状体内において前記第一板体が配備されている位置より下流側に第二板体が前記第一板体と平行に配備されており、
当該第二板体は、前記第一通水孔を介して下流側に流動してくる上水を下側方向に向けて吐出する複数の第二通水孔を備えている
ことを特徴とする請求項１記載の節水具。
【請求項３】
前記第二板体が備えている複数の第二通水孔は、当該第二通水孔全体の通水断面積が、前記第一通水孔全体の通水断面積より小さい
ことを特徴とする請求項２記載の節水具。
【請求項４】
前記第二板体が備えている複数の第二通水孔は、当該第二板体の径方向外側の部分において、円周方向に所定の間隔を空けて円周方向に延びる複数の通水孔であって、当該第二通水孔全体の通水断面積が、前記第一通水孔全体の通水断面積より小さい
ことを特徴とする請求項２記載の節水具。
【請求項５】
前記案内部材は、前記第一板体において各第一通水孔が形成される位置で、各第一通水孔形成用の三角形状部分を下流側に向けて下り傾斜に折り曲げ、前記中空筒状体の内周壁側の面と、当該折り曲げられた三角形状部分の表面との間により、上水の流れを斜め下方向に向かわせつつ、同一の円周方向に案内するものである
ことを特徴とする請求項１乃至４のいずれか一項記載の節水具。
【請求項６】
前記中空筒状体の上側から平坦な円板状の前記第二板体が装入され、前記中空筒状体の内周壁の段部に装着された後、円筒状のスペーサ、平坦な円板状の前記第一板体が順に前記中空筒状体内に上側から装入されている
ことを特徴とする請求項２乃至５のいずれか一項記載の節水具。
【発明の詳細な説明】
【技術分野】
【０００１】
本発明は、洗面器の自動手洗い器などに取り付けて使用される節水具に関する。
【背景技術】
【０００２】
上水道は、水道局より送水され各家庭や、店舗、等の厨房などにおける蛇口から放水されて使用される。【０００３】
この際、供給側であるメーン送水口から送水され、蛇口を介して放水されるために必要以上の上水が蛇口から放水されるのが一般的である。【０００４】
水圧が高い場合には多量の上水が放水され、その状態で使用が継続されると、１カ月、１年の間に累積されて非常に多くの上水が放水されることになる。【０００５】
水圧の高い地域、多層階のホテル、マンションなどの低層階の場合には、水圧が高いので、更に多くの上水が放出される。【０００６】
戸建住宅、マンション、寮、スポーツ施設、理美容院も同様で、使用頻度が高くまた規模の大きいものほど上水の放出は増大する。【０００７】
水圧が低い場合には、蛇口からの上水の出が悪くなる。しかし、上水の出が悪い分、逆に、余分に放水されるのが現状である。【０００８】
水圧の低い地域、多層階のホテル、マンションの中の高層階のフロアーなどのように水圧が低いときにこのような問題が生じる。【０００９】
多層階で同一フロアの床面積が大きく、同一系統の給水管の使用者が同時間帯に使用した場合にもこのような問題が発生する。【００１０】
個人住宅、マンション、寮、スポーツ施設も同様である。【００１１】
従来の蛇口では供給される水圧、水量が供給側であるメーン送水口より上層の放水口を通して直接放水することになり構造上、必要以上に放水して使用量が大となり、経費が増大する。【００１２】
このような問題を解決するため、蛇口に取り付けて節水を図る種々の提案がされている。例えば、特許文献１、２記載の発明では、通水管に取り付け、通水管を通過していく上水の流れに強制的な流動を生じさせることによって節水を図る提案がされている。
【特許文献１】特開２００７−１８６９７０号公報
【特許文献２】実用新案登録第３０１４４２３号公報
【発明の開示】
【発明が解決しようとする課題】
【００１３】
本発明は、供給側の水圧が高い場合、低い場合、供給側からの送水量が多い場合、少ない場合のいずれであっても、良好な使用感を得ることができる放水圧、放水量を実現し、なおかつ、単位時間あたりの使用水量を低減できる節水具を提案することを目的にしている。
【課題を解決するための手段】
【００１４】
前記目的を達成するため、この発明が提案する節水具は、以下の通りのものである。【００１５】
請求項１記載の発明は、
中空筒状体からなり、通水管に接続される節水具であって、
前記通水管に接続される側から下流側に向けて前記通水管を通る上水の流動方向に直交して第一板体が前記中空筒状体内に配備され、
前記第一板体は、円周方向に所定の間隔を空けて複数の第一通水孔を備えていると共に、前記第一板体の下流側の壁における各第一通水孔が形成されている位置に、各第一通水孔を介して下流側に流動していく上水の流れを斜め下方向に向かわせつつ、同一の円周方向に案内する案内部材を備えている
ことを特徴とする節水具である。
【発明の効果】
【００１６】
この発明によれば、供給側の水圧が高い場合、低い場合、供給側からの送水量が多い場合、少ない場合のいずれであっても、良好な使用感を得ることができる放水圧、放水量を実現し、なおかつ、単位時間あたりの使用水量を低減できる節水具を提供できる。特に、この発明の節水具は、蛇口の下に手をかざすと自動的に蛇口から水が放出される形式の自動手洗い器に好ましく使用することができる。
【発明を実施するための最良の形態】
【００１７】
本発明の節水具は、通水管を通過していく上水の流れに強制的な流動、すなわち、上流側から下流側に向けて渦巻き流のように、下側方向に斜めに向かいつつ、円周方向に流動する強制的な流れを生じさせることによって節水を図るものである。【００１８】
以下、添付図面を参照し、本発明の好ましい実施形態に関していくつかの実施例に基づき説明する。
【実施例１】
【００１９】
図１は本発明の節水具の好ましい実施形態を説明する一部を省略した断面図である。【００２０】
本発明の節水具１は図１図示のように中空筒状体２からなるものであり、図１中、上側が上水の通水管（不図示）に接続されて使用される。【００２１】
中空筒状体２内には、通水管に接続される側（図１中、上側）から下流側（図１中、下側）に向けて第一板体３、第二板体４が互いに平行に配備されている。第一板体３、第二板体４は、いずれも通水管を通る上水の流動方向（矢印１００方向）に直交している。【００２２】
第一板体３は、円周方向に所定の間隔を空けて複数の第一通水孔８ａ、８ｂ、８ｃ、８ｄ（以下、第一通水孔を総称して符号８で表すことがある）を備えている。また、第一板体３は、第一板体３の下流側の壁における各第一通水孔８が形成されている位置に案内部材１５を備えている。この案内部材１５は、各第一通水孔８を介して下流側に流動する上水の流れを斜め下方向に向かわせつつ、同一の円周方向に案内するものである。【００２３】
図示の実施形態では、第一板体３の円周方向に９０度ずつの間隔を空けて４個の第一通水孔８ａ、８ｂ、８ｃ、８ｄが形成されている。第一通水孔８ａ、８ｂ、８ｃ、８ｄを介して下流側に流動する上水の流れは、案内部材１５によって、それぞれ、矢印１０２（図１）で示すように、斜め下方向に向かわせられつつ、矢印９（図２（ａ））で示すように、同一の円周方向に案内される。【００２４】
図示していないが、円周方向に１８０度ずつ、１２０度ずつ、あるいは６０度ずつの間隔を空けて２個、３個、あるいは６個の第一通水孔８が形成されている形態、等にすることができる。【００２５】
図示の実施形態では、案内部材１５は、案内側壁１３と、案内底板１４とを備えている。【００２６】
案内側壁１３は、図３（ａ）、（ｂ）に図示するように、第一板体３における下流側の壁の、第一通水孔８ａの径方向外側の辺及びこれに対向する径方向内側の辺の位置から下流側に向かって延びるものである。例えば、案内側壁１３は、第一板体３における下流側の壁の、第一通水孔８ａの径方向外側の辺及びこれに対向する径方向内側の辺の位置から下流側に向かって、通水管を通る上水の流動方向（矢印１００方向）と平行に延びるようにすることができる。【００２７】
図１、図２（ａ）図示の実施形態では、中空筒状体２の内周壁が、第一板体３における下流側の壁の、第一通水孔８の径方向外側の辺の位置から下流側に向かって延びる案内側壁１３の役割を果たしている。【００２８】
そこで、図１、図２（ａ）図示の実施形態では、第一板体３における下流側の壁の、第一通水孔８の径方向内側の辺の位置から下流側に向かって延びる案内側壁１３のみが図示されている。【００２９】
案内底板１４は、図３（ａ）、（ｂ）に図示するように、その径方向外側の辺及びこれに対向する径方向内側の辺がそれぞれ案内側壁１３に接続されている。そして、案内底板１４は、第一通水孔８ａの案内部材１５によって案内される上水の円周方向の流れの上流側に位置する辺から、これに対向する上水の円周方向の流れ方向の辺が位置する方向に向かって下り傾斜している。【００３０】
図示の実施形態では、図１図示のように、第一通水孔８ａの位置に配備されている案内部材１５の案内底板１４は、４５度左下がりに傾斜している。これによって、第一通水孔８ａの案内部材１５によって案内される上水の円周方向の流れの上流側に位置する辺から、これに対向する上水の円周方向の流れ方向の辺が位置する方向に向かって下り傾斜している。【００３１】
この下り傾斜する角度は、水圧、水量、節水具の大きさ等を考慮して適宜に定めることができる。【００３２】
図１、図２（ａ）図示の実施形態では、案内底板１４の径方向外側の辺は、案内側壁１３の役割を果たす中空筒状体２の内周壁に接続され、案内底板１４の径方向内側の辺は案内側壁１３の径方向外側の面に接続されている。【００３３】
これによって、矢印１０１（図１）のように第一通水孔８ａに流入した上水は、案内底板１４に案内されて矢印１０２のように斜め下方に向かって流動する。そして、中空筒状体２の内周壁と案内側壁１３の径方向外側の面とに案内されて、矢印９（図２（ａ）で示すように、円周方向に案内される。【００３４】
第一通水孔８ｂ、８ｃ、８ｄに配備されている案内部材１５も、第一通水孔８ａに配備されている案内部材１５と同一であるので説明を省略する。【００３５】
各第一通水孔８で前述したように矢印１０１（図１）のように流入した上水が、矢印１０２のように斜め下方に向かって流動すると共に、中空筒状体２の内周壁と案内側壁１３の径方向外側の面とに案内されて、矢印９（図２（ａ）で示すように、円周方向に案内される。そこで、第一板体３の下流側である、第一板体３と第二板体４とで囲まれている部分６では、図１に矢印１０３ａ、１０３ｂで示すように、円周方向で下側に向かう上水の流れが生じる。【００３６】
しかも、節水具１は、図１中、上側が上水の通水管（不図示）に接続されて使用されるものであるので、第一通水孔８の全体の通水断面積は、通水管（不図示）の通水断面積より小さい。そこで、各第一通水孔８を通過する矢印１０２方向の上水の流れは、通水管（不図示）における矢印１００方向の上水の流れよりも速い。【００３７】
本発明の節水具１においては、前述したように、第一通水孔８全体の通水断面積が通水管（不図示）より小さいことにより、上水は、通水管（不図示）を流動していた時よりも流速が速められて第一通水孔８を通過する。そして、案内部材１５によって斜め下方向（矢印１０２）に向かわせられつつ、同一の円周方向（矢印９）に案内される。【００３８】
そこで、上水は、第一通水孔８を矢印１０２のように通過した際よりも、勢いをつけ、第一通水孔８に流入した際よりも速い流速で第一板体３の下流側に向かって流動する。【００３９】
本発明の節水具１の特徴は、第一板体３の第一通水孔８を介して第一貯留室６に流入する上水が、案内部材１５によって、斜め下方向（矢印１０２方向）に向かいつつ、同一の円周方向（矢印９方向）に流動するように案内される点にある。【００４０】
これによって、斜め下方向（矢印１０２方向）に向かいつつ、同一の円周方向（矢印９方向）に流動するように案内された上水の流れは、その勢いを持続させ、第一板体３の下流側に向かって流動する。【００４１】
前述した案内部材１５は、図３（ａ）、（ｂ）図示のように、案内側壁１３及び案内底板１４を含む筒状体からなり、第一通水孔８ａを入口２０ａとし、筒状体の下流側に向かって延びる先端に出口２０ｂを有する案内通路を構成し、入口２０ａ側から出口２０ｂ側に向かって当該案内通路の通水断面積が次第に小さくなっている形態にすることができる。【００４２】
案内部材１５がこのように構成されている場合について、図３を参照して説明する。【００４３】
この場合には、案内底板１４に対向して案内上板１４ａが配備され、案内底板１４、径方向外側の案内側壁１３（あるいは、径方向外側の案内側壁１３の役割を果たす中空筒状体２の内周壁）、案内上板１４ａ、径方向内側の案内側壁１３で囲まれて案内通路が形成される。案内上板１４ａは案内底板１４に対して平行ではなく、図３（ａ）図示のように、左側の端の方が案内底板１４に対し接近するように傾いていることにより、入口２０ａ側から出口２０ｂ側に向かって案内通路の通水断面積が次第に小さくなっている。【００４４】
図３（ｂ）は、入口２０ａの通水断面積の方が、出口２０ｂの通水断面積より大きくなっていることを説明する図である。【００４５】
前述した案内部材１５を図３図示のように構成することによって、第一通水孔８ａ（入口２０ａ）に流入した上水は、出口２０ｂから、第一通水孔８ａ（入口２０ａ）に流入した際よりも速い速度で流出することになる。そこで、上水の流れを下流側に向けて、斜め下方向（矢印１０２）に向かわせつつ、同一の円周方向（矢印９）に流動させる案内部材１５の役割を一層効果的に発揮させることができる。【００４６】
なお、前述したような、案内底板１４に対向する案内上板１４ａを使用せず、案内底板１４、径方向外側の案内側壁１３（あるいは、径方向外側の案内側壁１３の役割を果たす中空筒状体２の内周壁）、第一板体３の下流側に向かう面、径方向内側の案内側壁１３で囲んで案内通路を形成することもできる。この場合も、案内底板１４や、径方向内側の案内側壁１３の設置角度を調整することによって、案内通路の通水断面積を入口２０ａから出口２０ｂに向かうに従って次第に小さくなるようにすることができる。【００４７】
また、第一通水孔８、案内部材１５を、実施例２に採用されている構造、形態のものにすることもできる。すなわち、案内部材１５を、第一板体３において各第一通水孔８が形成される位置で、各第一通水孔８形成用の三角形状部分６２を下流側に向けて下り傾斜に折り曲げ、中空筒状体２の内周壁側の面と、当該折り曲げられた三角形状部分６２の表面との間により、上水の流れを斜め下方向（矢印１０２方向）に向かわせつつ、同一の円周方向（矢印９方向）に案内するものである。【００４８】
これは、第一板体３において第一通水孔８を形成する位置の、図７（ａ）、図９で説明されているように、符号５９、６０で示されている箇所に切断線を設け、符号６１で示されている破線の位置を折り曲げ線部として、三角形状部分６２の頂点部６３を下流側に向けて下り傾斜に折り曲げるものである。【００４９】
これによって、筒状体２の内周壁側の面と、前記のように折り曲げられた三角形状部分６２の表面との間により、上水を斜め下方向（矢印１０２方向）に向かわせつつ、同一の円周方向（矢印９方向）に案内するものである。【００５０】
この場合、三角形状部分６２の大きさは、水圧、水量、節水具の大きさ等を考慮して適宜に定めることができる。また、三角形状部分６２を、破線６１を折り線部として斜め下方に向かって折り曲げる角度も、水圧、水量、節水具の大きさ等を考慮して適宜に定めることができる。【００５１】
本発明の節水具においては、前述した第一板体３、第一通水孔８、案内部材１５の形状、構造により、下流側に向けて渦巻き流となる上水の流れが非常に強くなる。そこで、特に、第二板体４を設ける必要はない。【００５２】
しかし、第一板体３の下流側に第一板体３と平行に第二板体４を設け、ここに、上水を下側方向（すなわち、下流側）に向けて吐出する複数の第二通水孔が形成されている形態にすることもできる。【００５３】
この第二板体４、第二通水孔の存在によって、供給側の水圧が高い場合、低い場合、供給側からの送水量が多い場合、少ない場合のいずれであっても、より一層、良好な使用感を得ることができる放水圧、放水量を実現し、なおかつ、単位時間あたりの使用水量をより一層低減できる。【００５４】
図１、図２図示の実施形態では、第二板体４は、図２（ｂ）図示のように、その径方向外側に、円周方向に延び、それぞれ円周方向に所定の間隔を空けて形成されている内側第二通水孔１７ａ、１７ｂ、１７ｃ、１７ｄ（明細書、図面中において符号１７で総称することがある）を備えている。また、第二板体４は、同じく、その径方向外側に、内側第二通水孔１７よりも径方向外側において円周方向に延び、それぞれ円周方向に所定の間隔を空けて形成されている外側第二通水孔１８ａ、１８ｂ、１８ｃ、１８ｄ（明細書、図面中において符号１８で総称することがある）を備えている。【００５５】
図示の実施形態では、この内側第二通水孔１７と、外側第二通水孔１８とによって、第二板体４の径方向外側の部分において、円周方向に延び、円周方向に所定の間隔を空けて形成されている複数の第二通水孔が形成されている。【００５６】
なお、第二板体４の径方向外側の部分において、円周方向に延びる複数の第二通水孔を、内側第二通水孔１７のみ、あるいは、外側第二通水孔１８のみによって形成することもできる。【００５７】
第二通水孔全体の通水断面積（図示の実施形態では、内側第二通水孔１７全体の通水断面積と、外側第二通水孔１８全体の通水断面積とを合わせた通水断面積）は、第一通水孔８全体の通水断面積より小さくなっている。【００５８】
第二通水孔全体の通水断面積が第一通水孔８全体の通水断面積より小さいので、第二通水孔を通過して、矢印１０６（図１）のように、本発明の節水具から下流に向けて吐出される上水の速度は一層大きいものになる。【００５９】
また、第二板体４の径方向外側の部分において、円周方向に延びる複数の第二通水孔が形成されていることにより、単位時間当たりの矢印１０６方向への吐出量を少なくしつつ、良好な使用感を得ることができる。【００６０】
図４、図５は、この実施例で説明している節水具１の他の形態・構造を説明するものである。図１、図２を用いて説明した節水具１と共通する部分には共通する符号を付けてその説明を省略する。【００６１】
図４、図５図示の本発明の節水具１は、図１、図２を用いて説明した本発明の節水具を小型化したものである。【００６２】
案内部材１５における、第一板体３の下流側の壁の第一通水孔８の径方向外側の辺の位置から下流側に向かって延びる案内側壁として中空筒状体２の内周壁が利用されていない。すなわち、第一板体３の下流側の壁の第一通水孔８の径方向外側の辺の位置から下流側に向かって延びる案内側壁１３も図示されている点が図１、図２を用いて説明した本発明の節水具と相違している。【００６３】
また、通水管に接続される上端側にねじ山が設けられている点が図１、図２を用いて説明した本発明の節水具と相違している。図４図示の実施形態では、中空筒状体２の上端側内周にねじ山を形成している。【００６４】
その他の点は図１、図２を用いて説明した本発明の節水具と同一であるので説明を省略する。
【実施例２】
【００６５】
図６〜図９を用いて本発明の他の実施例を説明する。【００６６】
図１〜図５を用いて説明した実施例１における構成要素と共通する部分には共通する符号を付け、その説明を省略する。【００６７】
実施例１の節水具１においては、第二板体４に形成されている複数の第二通水孔１７、１８は、第二板体４の径方向外側の部分において、円周方向に延びるものであって、第二通水孔１７、１８全体の通水断面積が、第一通水孔８全体の通水断面積より小さくなっていた。【００６８】
しかし、本発明の節水具は、この実施例２の節水具５１のように、第二板体４に形成されている複数の第二通水孔が、上水を下側方向（矢印１０６）に向けて吐出するものであれば、それが形成されている箇所、通水断面積の大きさを問わずに、節水具としての機能を発揮することができる。【００６９】
実施例２の節水具５１も図６図示のように中空筒状体２からなり、図６中、上側が上水の通水管（不図示）に接続されて使用される。【００７０】
図示の実施形態では、中空筒状体２の上側から平坦な円板状の第二板体４が装入され、中空筒状体２の内周壁の段部５８に装着された後、円筒状のスペーサ５６、平坦な円板状の第一板体３が順に中空筒状体２内に上側から装入されている。【００７１】
第一板体３、第二板体４の径は同一であり、円筒状のスペーサ５６を使用していることにより上下方向で同一の径になっている。【００７２】
平坦な円板状である第一板体３に、円周方向に所定の間隔を空けて複数の第一通水孔８ａ、８ｂ、８ｃ、８ｄ（以下、第一通水孔を総称して符号８で表すことがある）と、案内部材１５とが配備されている点は実施例１の場合と同様である。また、これによって、第一通水孔８を介して下流側に流動する上水の流れが、案内部材１５によって、それぞれ、矢印１０２（図６）で示すように、斜め下方向に向かわせられ、矢印９（図７（ａ））で示すように、同一の円周方向に案内される点も実施例１の場合と同様である。【００７３】
実施例２の節水具５１における案内部材１５は、第一板体３において各第一通水孔８が形成される位置で、各第一通水孔８形成用の三角形状部分６２を下流側に向けて下り傾斜に折り曲げ、中空筒状体２の内周壁側の面と、当該折り曲げられた三角形状部分６２の表面との間により、上水の流れを斜め下方向（矢印１０２方向）に向かわせつつ、同一の円周方向（矢印９方向）に案内するものになっている。【００７４】
実施例２の節水具５１では案内部材１５は第一板体３において実線５９、実線６０、破線６１で囲まれている三角形状部分６２を図８中、下側方向に折り曲げて形成している。第一板体３において、実線５９、実線６０の部分に切断線を入れる。そして、破線６１を折れ線部とし、実線５９と実線６０とが交差する三角形状部分６２の先端６３を図６、図８中、下側方向に向けて折り曲げる。例えば、三角形状部分６２が折れ線部にあたる破線６１から水平な第一板体３に対して４５度斜め下方向に傾斜するように折り曲げる。【００７５】
このようにして第一通水孔８を形成すると、矢印１００、１０１のように第一板体３に向かってきた上水の流れは、円筒状のスペーサ５６の内周に沿って矢印９のように円周方向に向かいつつ、矢印１０２（図６）で示すように、斜め下方向に向かわせられる。【００７６】
通水管（不図示）から矢印１００（図６）で示すように圧送されてきた上水は各第一通水孔８を介して、斜め下方向に向かって傾斜する三角形状部分６２に沿って、矢印１０２で示すように斜め下方に向かって下流側に流動する。同時に、スペーサ５６の内周壁と、傾斜する三角形状部分６２の表面との間に案内されて、矢印９で示すように円周方向に案内される。そこで、第一板体３の下流側では、図６に矢印１０３ａ、１０３ｂで示すように、円周方向で下側に向かう上水の流れが生起される。【００７７】
しかも、節水具５１は、図６中、上側が上水の通水管（不図示）に接続されて使用されるものであるので、第一通水孔８の全体の通水断面積は、通水管（不図示）の通水断面積より小さい。そこで、各第一通水孔８を通過する矢印１０２方向の上水の流れは、通水管（不図示）における矢印１００方向の上水の流れよりも速い。【００７８】
前記において、第一板体３で実線５９、実線６０、破線６１で囲まれている三角形状部分６２の大きさは、水圧、水量、節水具の大きさ等を考慮して適宜に定めることができる。また、三角形状部分６２を、破線６１を折り線部として斜め下方に向かって折り曲げる角度も、水圧、水量、節水具の大きさ等を考慮して適宜に定めることができる。【００７９】
節水具５１においては、前述したように、第一通水孔８全体の通水断面積が通水管（不図示）より小さいことにより、上水は、通水管（不図示）を流動していた時よりも流速が速められて第一通水孔８を通過する。そして、案内部材１５によって斜め下方向（矢印１０２）に向かわせられつつ、同一の円周方向（矢印９）に案内される。【００８０】
この実施例において第二板体４に形成されている複数の第二通水孔７０は、上水を下側方向（矢印１０６）に向けて吐出するものであれば、それが形成されている箇所、通水断面積の大きさを問わない。【００８１】
これは、前述した第一板体３、第一通水孔８、案内部材１５の形態、構造によって、矢印１０３ａ、１０３ｂのように流動する上水の勢いが非常に強く、流速が非常に速いためである。【００８２】
矢印１０３ａ、１０３ｂのように流動する上水の流速、勢いが大きいので、第二板体４とこれに形成されている複数の第二通水孔７０は、節水具５１が取り付けられている上水設備の用途に適した流速にまで上水の流速、勢いを抑える役割を果たすものになる。【００８３】
たとえば、図７（ｂ）図示のように、平板な円板状の第二板体４に複数の小径の第二通水孔７０が形成されている形態にすることができる。これは、洗面器の自動手洗い器に取り付けて使用することに適している。【００８４】
図７（ｃ）図示のように、平板な円板状の第二板体４の円周方向に所定の間隔を開けて円周方向に延びる複数個の第二通水孔７１が形成されている形態にすることもできる。これは、図７（ｂ）図示の形態よりも矢印１０６方向に吐出する勢いが強くなるので、厨房などで使用されている上水の蛇口に用いることができる。【００８５】
図７（ｂ）、図７（ｃ）のいずれの形態を採用した場合でも、洗面器の自動手洗い器で手や指先を洗い流す、厨房などで食器などを洗浄する、等々の使用に適した勢いで上水を吐出させ、単位時間あたりの矢印１０６方向への吐出量を少なくしつつ、良好な使用感を得ることができる。【００８６】
図７（ｂ）図示の形態の第二板体４を備えているこの実施例の節水具５１を洗面器の自動手洗い器に取り付けた場合と、節水具５１を取り付けていない場合とで比較実験を行った。通水管の径：１３ｍｍ（通水断面積＝１３２．７７ｍｍ２）、４個の第一通水孔全体の通水断面積＝１４．０８ｍｍ２、２９個の第二通水孔全体の通水断面積＝１１．１５ｍｍ２。【００８７】
節水具５１を取り付けていない場合に比較して上水吐出量を７０〜８０％削減することができた。その一方、この洗面器の自動手洗い器で手や指先を洗い流す使用者からは良好な使用感であったとの感想を得ることができた。【００８８】
このように、この実施例の節水具５１でも、供給側の水圧が高い場合、低い場合、供給側からの送水量が多い場合、少ない場合のいずれであっても、良好な使用感を得ることができる放水圧、放水量を実現し、なおかつ、単位時間当たりの使用水量を低減でき、高い省エネルギー効果を上げることができる。【００８９】
この実施例の節水具５１では、通水管に接続される上端側（中空筒状体２の上端側内周）にねじ山が設けられている構造で説明した。しかし、実施例１の図１、図２を用いて説明した節水具１のように、上端側にねじ山が設けられていない構造にすることもできる。【００９０】
以上、添付図面を参照して本発明の好ましい実施形態、実施例を説明したが、本発明はかかる実施形態、実施例に限定されるものではなく、特許請求の範囲の記載から把握される技術的範囲において種々の形態に変更可能である。
【図面の簡単な説明】
【００９１】
【図１】本発明の節水具の内部を上水が流動する状況を説明する一部を省略した縦断面図。
【図２】（ａ）、（ｂ）は、それぞれ、図１図示の実施形態における、第一板体、第二板体の平面図。
【図３】案内部材が案内通路として構成されている例を説明する図であって、（ａ）は側面図、（ｂ）は案内通路入口と出口の断面積の大きさを説明する図。
【図４】本発明の他の節水具の内部を上水が流動する状況を説明する一部を省略した縦断面図。
【図５】（ａ）、（ｂ）は、それぞれ、図４図示の実施形態における、第一板体、第二板体の平面図。
【図６】本発明の更に他の節水具の内部を上水が流動する状況を説明する一部を省略した縦断面図。
【図７】（ａ）、（ｂ）は、それぞれ、図６図示の実施形態における、第一板体の平面図及び、第二板体の底面図、（ｃ）は第二板体の他の実施形態を説明する底面図。
【図８】図６の一部拡大図。
【図９】図７（ａ）の一部拡大図。
【符号の説明】
【００９２】
１    節水具
２    中空筒状体
３    第一板体
４    第二板体
８、８ａ、８ｂ、８ｃ、８ｄ  第一通水孔
１３  案内側壁
１４  案内底板
１５  案内部材
１７、１７ａ、１７ｂ、１７ｃ、１７ｄ  内側第二通水孔
１８、１８ａ、１８ｂ、１８ｃ、１８ｄ  外側第二通水孔
５１  節水具
５８  中空筒状体の内周壁の段部
５６  円筒状のスペーサ
７０、７１  第二通水孔
【図１】
2009130812.tif 000003
【図２】
2009130812.tif 000004
【図３】
2009130812.tif 000005
【図４】
2009130812.tif 000006
【図５】
2009130812.tif 000007
【図６】
2009130812.tif 000008
【図７】
2009130812.tif 000009
【図８】
2009130812.tif 000010
【図９】
2009130812.tif 000011
【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
中空筒状体からなり、通水管に接続される節水具であって、
前記通水管に接続される側から下流側に向けて前記通水管を通る上水の流動方向に直交して第一板体が前記中空筒状体内に配備され、
前記第一板体は、円周方向に所定の間隔を空けて複数の第一通水孔を備えていると共に、前記第一板体の下流側の壁における各第一通水孔が形成されている位置に、各第一通水孔を介して下流側に流動していく上水の流れを斜め下方向に向かわせつつ、同一の円周方向に案内する案内部材を備えており、
前記案内部材は、前記第一板体において各第一通水孔が形成される位置で、各第一通水孔形成用の三角形状部分を下流側に向けて下り傾斜に折り曲げ、前記中空筒状体の内周壁側の面と、当該折り曲げられた三角形状部分の表面との間により、上水の流れを斜め下方向に向かわせつつ、同一の円周方向に案内するものである
ことを特徴とする節水具。
【請求項２】
中空筒状体からなり、通水管に接続される節水具であって、
前記通水管に接続される側から下流側に向けて前記通水管を通る上水の流動方向に直交して第一板体が前記中空筒状体内に配備され、
前記第一板体は、円周方向に所定の間隔を空けて複数の第一通水孔を備えていると共に、前記第一板体の下流側の壁における各第一通水孔が形成されている位置に、各第一通水孔を介して下流側に流動していく上水の流れを斜め下方向に向かわせつつ、同一の円周方向に案内する案内部材を備えており、
前記中空筒状体内において前記第一板体が配備されている位置より下流側に第二板体が前記第一板体と平行に配備され、
当該第二板体は、前記第一通水孔を介して下流側に流動してくる上水を下側方向に向けて吐出する複数の第二通水孔を備えていると共に、
前記第二板体が備えている複数の第二通水孔は、当該第二通水孔全体の通水断面積が、前記第一通水孔全体の通水断面積より小さい
ことを特徴とする節水具。
【請求項３】
中空筒状体からなり、通水管に接続される節水具であって、
前記通水管に接続される側から下流側に向けて前記通水管を通る上水の流動方向に直交して第一板体が前記中空筒状体内に配備され、
前記第一板体は、円周方向に所定の間隔を空けて複数の第一通水孔を備えていると共に、前記第一板体の下流側の壁における各第一通水孔が形成されている位置に、各第一通水孔を介して下流側に流動していく上水の流れを斜め下方向に向かわせつつ、同一の円周方向に案内する案内部材を備えており、
前記中空筒状体内において前記第一板体が配備されている位置より下流側に第二板体が前記第一板体と平行に配備され、
当該第二板体は、前記第一通水孔を介して下流側に流動してくる上水を下側方向に向けて吐出する複数の第二通水孔を備えていると共に、
前記第二板体が備えている複数の第二通水孔は、当該第二板体の径方向外側の部分において、円周方向に所定の間隔を空けて円周方向に延びる複数の通水孔であって、当該第二通水孔全体の通水断面積が、前記第一通水孔全体の通水断面積より小さい
ことを特徴とする節水具。
【請求項４】
前記案内部材は、前記第一板体において各第一通水孔が形成される位置で、各第一通水孔形成用の三角形状部分を下流側に向けて下り傾斜に折り曲げ、前記中空筒状体の内周壁側の面と、当該折り曲げられた三角形状部分の表面との間により、上水の流れを斜め下方向に向かわせつつ、同一の円周方向に案内するものである
ことを特徴とする請求項２又は３記載の節水具。
【請求項５】
前記中空筒状体の上側から平坦な円板状の前記第二板体が挿入され、前記中空筒状体の内周壁の段部に装着された後、円筒状のスペーサ、平坦な円板状の前記第一板体が順に前記中空筒状体内に上側から挿入されている
ことを特徴とする請求項２乃至４のいずれか一項記載の節水具。
【手続補正２】
【補正対象書類名】明細書
【補正対象項目名】００１５
【補正方法】変更
【補正の内容】
【００１５】
請求項１記載の発明は、
中空筒状体からなり、通水管に接続される節水具であって、
前記通水管に接続される側から下流側に向けて前記通水管を通る上水の流動方向に直交して第一板体が前記中空筒状体内に配備され、
前記第一板体は、円周方向に所定の間隔を空けて複数の第一通水孔を備えていると共に、前記第一板体の下流側の壁における各第一通水孔が形成されている位置に、各第一通水孔を介して下流側に流動していく上水の流れを斜め下方向に向かわせつつ、同一の円周方向に案内する案内部材を備えており、
前記案内部材は、前記第一板体において各第一通水孔が形成される位置で、各第一通水孔形成用の三角形状部分を下流側に向けて下り傾斜に折り曲げ、前記中空筒状体の内周壁側の面と、当該折り曲げられた三角形状部分の表面との間により、上水の流れを斜め下方向に向かわせつつ、同一の円周方向に案内するものである
ことを特徴とする節水具であり、
請求項２記載の発明は、
中空筒状体からなり、通水管に接続される節水具であって、
前記通水管に接続される側から下流側に向けて前記通水管を通る上水の流動方向に直交して第一板体が前記中空筒状体内に配備され、
前記第一板体は、円周方向に所定の間隔を空けて複数の第一通水孔を備えていると共に、前記第一板体の下流側の壁における各第一通水孔が形成されている位置に、各第一通水孔を介して下流側に流動していく上水の流れを斜め下方向に向かわせつつ、同一の円周方向に案内する案内部材を備えており、
前記中空筒状体内において前記第一板体が配備されている位置より下流側に第二板体が前記第一板体と平行に配備され、
当該第二板体は、前記第一通水孔を介して下流側に流動してくる上水を下側方向に向けて吐出する複数の第二通水孔を備えていると共に、
前記第二板体が備えている複数の第二通水孔は、当該第二通水孔全体の通水断面積が、前記第一通水孔全体の通水断面積より小さい
ことを特徴とする節水具であり、
請求項３記載の発明は、
中空筒状体からなり、通水管に接続される節水具であって、
前記通水管に接続される側から下流側に向けて前記通水管を通る上水の流動方向に直交して第一板体が前記中空筒状体内に配備され、
前記第一板体は、円周方向に所定の間隔を空けて複数の第一通水孔を備えていると共に、前記第一板体の下流側の壁における各第一通水孔が形成されている位置に、各第一通水孔を介して下流側に流動していく上水の流れを斜め下方向に向かわせつつ、同一の円周方向に案内する案内部材を備えており、
前記中空筒状体内において前記第一板体が配備されている位置より下流側に第二板体が前記第一板体と平行に配備され、
当該第二板体は、前記第一通水孔を介して下流側に流動してくる上水を下側方向に向けて吐出する複数の第二通水孔を備えていると共に、
前記第二板体が備えている複数の第二通水孔は、当該第二板体の径方向外側の部分において、円周方向に所定の間隔を空けて円周方向に延びる複数の通水孔であって、当該第二通水孔全体の通水断面積が、前記第一通水孔全体の通水断面積より小さい
ことを特徴とする節水具である。
【国際調査報告】
2009130812.tif 000012
2009130812.tif 000013
2009130812.tif 000014
2009130812.tif 000015